(57)【特許請求の範囲】
【請求項１】
穀稈等を結束する結束紐（イ）へブレーキ力を付加及び解除する紐ブレーキ装置（１０）、挿通される該紐（イ）を保持案内する紐ガイドパイプ（６３）等を経て該穀稈へ該紐（イ）を巻付けるニードル（６１）等よりなる結束機（２）を有するバインダにおいて、収納パイプ（５３）に内装して一端部を装着した伸縮自在なスプリング（５４）と、該スプリング（５４）に噛合するギヤー（５６）の回転によって伸長する該スプリング（５４）の他端部には紐受ガイド金具（６０）で保持された該紐（イ）を引継ぎ保持して該ニードル（６１）へ挿通する紐受具（５５）を設け、バインダのハンドル（１４）の基部には変速用溝（１７）を設けたチェンジパネル（１８）を六角形状の取付具（１９）にボルト等で装着して設け、該変速用溝（１７）内には走行速度を変速する変速レバー（２０）を設け、該変速レバー（２０）の側部と前記取付具（１９）の対辺部とは所定の隙間を有するように取付具（１９）を設け、変速レバー（２０）の操作位置が中立位置及び後進位置においては、変速レバー（２０）と取付具（１９）とは側面視重合する位置関係とし、変速レバー（２０）の操作位置が前進位置においては、変速レバー（２０）と取付具（１９）とは側面視重合させない位置関係とし、穀稈を引き起こす引起装置（６）の後側に掻込装置（５）を配置し、該掻込装置（５）の後側の後穀稈移送通路（３５）を横搬送ベルト（３２）で形成し、立設した支持軸（３３）上部にはローラ（３４）を回転自在に軸支して設け、該ローラ（３４）で前記横搬送ベルト（３２）の内側面を受けるように構成したことを特徴とするバインダ。
【発明の詳細な説明】
【０００１】
【発明の属する技術分野】
この発明は、圃場内の植立穀稈を刈り取って結束するバインダに関する。
【０００２】
【従来の技術】
従来は、例えば、穀稈を刈取するバインダの結束機で結束紐を該結束機のニードルへ挿通させる作業のときは、収納パイプに内装された外周部にスクリュウを突出状態に設けた伸縮する可撓杆の一端部が装着され、他端部に装着された紐受具は、このスクリュウに噛合して、回転自在に設けたギヤーを正回転駆動させて、この可撓杆を伸長させ、紐受ガイド金具で保持された結束紐は、この可撓杆の先端の該紐受具で引継ぎ保持され、紐ブレーキ装置、紐ガイドパイプ等を経て該ニードルへ挿通され、このニードルへ挿通された結束紐を手で保持する。
【０００３】
手で結束紐の保持が終了すると、ギヤーを逆回転駆動させて、可撓杆を短縮させて元の位置へ復元させ、短縮が終了すると、後作業であるニードルを回転駆動させると、この結束紐は所定の部品で挾持される。
【０００４】
【発明が解決しようとする課題】
スクリュウを外周部に突出状態に設けて伸縮する可撓杆は、スラスト方向へのたわみがなく、結束紐をニードルへ挿通後に、この可撓杆を元の位置へ戻し忘れて、該ニードルを回転駆動させると紐通し装置のこれら可撓杆、及び紐受具を破損させることがあったが、これを防止しようとするものである。
また、変速レバーの誤操作を防止し、チェンジパネルの破損を防止しようとするものである。
また、掻込装置後側の後穀稈移送通路に配置している横搬送ベルトの磨耗を防止しようとするものである。
【０００５】
【課題を解決するための手段】
このために、この発明は、穀稈等を結束する結束紐（イ）へブレーキ力を付加及び解除する紐ブレーキ装置（１０）、挿通される該紐（イ）を保持案内する紐ガイドパイプ（６３）等を経て該穀稈へ該紐（イ）を巻付けるニードル（６１）等よりなる結束機（２）を有するバインダにおいて、収納パイプ（５３）に内装して一端部を装着した伸縮自在なスプリング（５４）と、該スプリング（５４）に噛合するギヤー（５６）の回転によって伸長する該スプリング（５４）の他端部には紐受ガイド金具（６０）で保持された該紐（イ）を引継ぎ保持して該ニードル（６１）へ挿通する紐受具（５５）を設け、バインダのハンドル（１４）の基部には変速用溝（１７）を設けたチェンジパネル（１８）を六角形状の取付具（１９）にボルト等で装着して設け、該変速用溝（１７）内には走行速度を変速する変速レバー（２０）を設け、該変速レバー（２０）の側部と前記取付具（１９）の対辺部とは所定の隙間を有するように取付具（１９）を設け、変速レバー（２０）の操作位置が中立位置及び後進位置においては、変速レバー（２０）と取付具（１９）とは側面視重合する位置関係とし、変速レバー（２０）の操作位置が前進位置においては、変速レバー（２０）と取付具（１９）とは側面視重合させない位置関係とし、穀稈を引き起こす引起装置（６）の後側に掻込装置（５）を配置し、該掻込装置（５）の後側の後穀稈移送通路（３５）を横搬送ベルト（３２）で形成し、立設した支持軸（３３）上部にはローラ（３４）を回転自在に軸支して設け、該ローラ（３４）で前記横搬送ベルト（３２）の内側面を受けるように構成したことを特徴とするバインダの構成とする。
【０００６】
【発明の作用】
例えば、穀稈を刈取するバインダの結束機で結束紐（イ）を該結束機のニードル６１へ挿通させる作業のときは、収納パイプ５３に内装されて一端部が装着された伸縮自在なスプリング５４の他端部に装着された紐受具５５は、このスプリング５４に噛合して、回転自在に設けたギヤー５６を正回転駆動させて、該スプリング５４を伸長させ、紐受けガイド金具６０で保持された結束紐（イ）は、このスプリング５４の先端の該紐受具５５で引継ぎ保持され、紐ブレーキ装置１０、紐ガイドパイプ６３等を経て該ニードル６１へ挿通され、このニードル６１へ挿通された結束紐（イ）を手で保持する。
【０００７】
手で結束紐（イ）の保持が終了すると、回転するギヤー５６の回転保持を解除させることにより、スプリング５４は弾発して、該ギヤー５６は逆回転駆動され、該スプリング５４は短縮すると共に、これらスプリング５４、及び紐受具５５は元の位置へ復元され、後作業であるニードル６１を回転駆動させると、この結束紐（イ）は所定の部品で挾持される。
特に、変速レバー２０の操作位置が中立位置及び後進位置においては、変速レバー２０と取付具１９とは側面視重合する位置関係にしているので、変速レバー２０は取付具１９に当たることでチェンジパネル１８には当たらない。
また、立設している支持軸３３上部にローラ３４を回転自在に軸支して設け、このローラ３４で横搬送ベルト３２の内側面を受ける。
【０００８】
【発明の効果】
結束紐（イ）がニードル６１へ挿通されると、ギヤー５６の回転保持を解除することにより、スプリング５４、及び紐受具５５は、元の位置へ復元されることにより、これらを元の位置へ復元の操作が必要なくなり、結束紐（イ）の紐通しが容易になると共に、紐通し装置のこれらスプリング５４、及び紐受具５５が破損することがなくなった。
変速レバー２０は取付具１９に当たることでチェンジパネル１８には当たらないので、チェンジパネル１８の破損を防止できるようになる。また、変速レバー２０の誤操作が防止できるようになる。
また、立設している支持軸３３上部にローラ３４を回転自在に軸支して設け、このローラ３４で横搬送ベルト３２の内側面を受けるように構成したので、横搬送ベルト３２の磨耗を防止できるようになる。
【０００９】
【実施例】
以下、本発明の一実施例を図面に基づいて説明する。
図例は、バインダ１へ結束機２を装着した状態を示すもので、該バインダ１は、走行装置３、刈取装置４、掻込装置５、引起装置６、操作装置７、該結束機２、結束紐（イ）を保持する紐保持装置８、該結束紐（イ）を紐通しする紐通し装置９、及びこの結束紐（イ）へブレーキを付加、及び解除する紐ブレーキ装置１０等よりなる構成としている。
【００１０】
前記走行装置３は、機体フレーム１１下側の走行伝動ケース（図示せず）の左右両側には車輪１２を回転自在に軸支して設け、該機体フレーム１１上側には、原動機１３を載置すると共に、ハンドル１４を設け、このハンドル１４には、操作装置７の走行操作用の走行レバー１５、及び穀稈刈取操作用の刈取レバー１６を設けた構成としている。
【００１１】
前記ハンドル１４の基部には、図３の如く、操作装置７の走行速度を変速する変速用溝１７を設けたチェンジパネル１８を六角形状の取付具１９にボルト等で装着させて設け、この変速用溝１７内には、変速レバー２０を設け、この変速レバー２０の側部と、該取付具１９の対辺部とは、所定の隙間を有すべくこの取付具１９を設け、この変速用溝１７の淵部には、該変速レバー２０の側部は接触しない構成であり、この変速レバー２０の操作位置が、中立位置、及び後進位置では、該変速レバー２０と該取付具１９とは、側面視重合する関係位置とし、前進位置では重合させない関係位置にして、１速、２速に切換え可能な構成として、この変速レバー２０の誤操作防止、及び該チェンジパネル１８の破損を防止する構成としている。
【００１２】
前記刈取装置４は、機体フレーム１１前部の左右両側、及び中央部の分草杆２１で分離した穀稈を引起案内する引起装置６，６は、中央の該分草杆２１の後方で左右両側に設け、この引起装置６は、上・下引起ケース２２，２２内の上下両側に回転自在に軸支して設けたスプロケット２３，２３に、刈取穀稈を引起案内する引起ラグ２４を所定間隔に設けた引起チェン２５を掛け渡した構成とし、この引起ラグ２４は一方側の下部から上部までの間は、該上・下引起ケース２２，２２より突出して回転して作用し、他方側は、この上・下引起ケース２２，２２内に収納状態で回転して作用しない構成としている。
【００１３】
引起防音ゴム２６は、図４〜図６の如く、引起ラグ２４が引起作用が終り、上・下引起ケース２２，２２内へ収納されるときに、これら上・下引起ケース２２，２２と該引起ラグ２４とが当接して発生する干渉音を防止するために、これら上・下引起ケース２２，２２上部の内側に設け、この引起防音ゴム２６の一端部は、これら上・下引起ケース２２，２２上部の三角形状の開口部２７形状と同形状にすべく三角形状で上部へ突出する厚肉部２８を形成して設け、この厚肉部２８で係止させている。
【００１４】
防音ゴム取付板２９は、所定長さで所定幅のＬ字形状に形成して、引起防音ゴム２６を受ける受部側３０には、複数個の開口部３１を設け、この防音ゴム取付板２９，２９を上・下引起ケース２２，２２内側面にボルト、及びナット等で装着して設け、該受部側３０の該開口部３１以外の個所で該引起防音ゴム２６の左右両端部を支持させた構成としている。
【００１５】
上記の如く、引起防音ゴム２６の一端部を厚肉としたことにより、防音効果の向上、及び耐久性の向上を図ることができた構成としている。
前記掻込装置５は、引起装置６後側に設け、穀稈を掻込移送する構成であり、この掻込装置５後側には、後穀稈移送通路３５を横搬送ベルト３２等で形成し、この横搬送ベルト３２は、図７〜図８の如く、両端部に回転自在に軸支したプーリ７５，７５に掛け渡し、又支持軸３３上部には、回転自在にローラ３４を軸支して設け、このローラ３４で該横搬送ベルト３２の内側面を受けた構成として、この横搬送ベルト３２の摩耗を防止する構成としている。
【００１６】
前記刈取装置４は、掻込装置５で掻込される穀稈を、左右往復運動する刈刃３６と固定された受刃３７とにより刈取する構成であり、この刈刃３６を往復運動させるメタル３８の回動を規制させるＬ字形状の支持板３９の一方側は、該刈刃３６に装着し、他方側の上面部には、該メタル３８を挿入する挿入孔４０を設け、この挿入孔４０の左右両側には、図９〜図１０の如く、下方へ向けて折曲した折曲壁４１を設けた構成とし、この支持板３９上へ落下する藁屑等は、この支持板３９の周囲部、及び該挿入孔４０部より、容易に落下する構成としている。
【００１７】
前記刈刃３６上側には、この刈刃３６を上部より押える図９〜図１２の如く、刃押金具４２，４２を受刃３７の左右両側部へボルト、及びナット等で装着して設け、この刃押金具４２の水平面、及び垂直面には、油孔４３，４３を設け、これら油孔４３，４３の周囲には、Ｕ字形状の保持板４４を設け、この保持板４４内には、潤滑油をしみこませたスポンジ材等よりなる吸収部材４５を挿入して設けた構成として、この潤滑油がしみ出して、順次該刈刃３６、及び受刃３７へ付着する構成としている。
【００１８】
オイルタンク４７の下部には、オイルパイプ４８を設け、このオイルパイプ４８下端部には、注油孔４９を設けた受板５０を設け、この受板５０は、保持板４４内の吸収部材４５上側に位置させて設け、該オイルタンク４７内の潤滑油の適量は、該オイルパイプ４８から該受板５０の該注油孔４９を経て、該吸収部材４５へ給油される構成として、刈刃３６、及び受刃３７へ注油される構成であり、これら刈刃３６、及び受刃３７の摩耗を防止すると共に、作動を円滑にする構成とし、更に、作業者が油差し等で注油する必要をなくした構成としている。
【００１９】
前記保持板４４は、図１３の如く、穀稈をスターホイル７４で掻込のときに案内する案内ガイド４６のストッパーになる構成として、穀稈の掻込を良好にした構成としている。
前記後穀稈移送通路３５の後側の外側部には、刈取穀稈を所定の径に集束する集束装置５１を設け、この集束装置５１の前側には、集束された刈取穀稈を所定の束径に結束する結束機２、及び結束済み束を機外へ放出する放出装置５２を設けた構成としている。
【００２０】
結束紐（イ）は、順次巻き付けされて所定径の筒形状（ロ）に形成され、外周部は、樹脂材等で覆われた構成として、内径部より、順次この結束紐（イ）は引出しされる構成であり、この結束紐（イ）は、原動機１３前部に半円形状で籠状に形成された紐保持装置８内へ収納されて保持される構成としている。
前記紐通し装置９は、図１、及び図１４〜図１５の如く、紐保持装置８下側に支持板（図示せず）等で支持して収納パイプ５３を設け、この収納パイプ５３内には、伸縮自在で弾発するスプリング５４の一端部を固定して設け、このスプリング５４の他端部には、紐受具５５を装着して設け、又このスプリング５４に噛合して回転するギヤー５６を回転自在に前後両側の支持板（図示せず）で支持して設け、このギヤー５６には、このギヤー５６を回転駆動させるハンドル５７を設けた構成であり、この紐受具５５の結束紐（イ）を受けて引継ぎする溝５８は、図１５の如く、１２０度３等配のＹ字形状に形成している。この構成により、最悪のときでも、３本の該溝５８のいずれか１本で結束紐（イ）が保持されることにより、この結束紐（イ）は確実に保持される。
【００２１】
前記紐通し装置９の前部には、結束紐（イ）を挿通させて保持するガイド溝５９を有する紐受ガイド金具６０を設けた構成としている。
前記紐受ガイド金具６０のガイド溝５９で、図１６の如く、保持された結束紐（イ）を結束機２のニードル６１へ挿通させるときは、ハンドル５７を手動で回転させて、ギヤー５６を正回転駆動させることにより、このギヤー５６でスプリング５４が伸長され、このスプリング５４の伸長により、図１７の如く、紐受具５５の溝５８で該ガイド溝５９へ保持した結束紐（イ）が引継ぎ保持され、この結束紐（イ）へブレーキ力を付加、及び解除する紐ブレーキ装置１０の上・下保持板６４，６４間から先端部の円形状に形成したたわみ取具６２、支持板（図示せず）で支持した紐ガイドパイプ６３を経て、該ニードル６１へ挿通される構成であり、このニードル６１へ挿通された結束紐（イ）を手で保持すると紐通しのみは終了した構成であり、挾持は終了していない構成であり、該上保持板６４上側にはスプリング７３を設け、この上保持板６４を押圧させた構成としている。
【００２２】
紐通しが終了すると、ハンドル５７の回転保持を解除すると、スプリング５４は弾発し、ギヤー５６は逆回転駆動され、該スプリング５４は短縮すると共に、このスプリング５４、及び紐受具５５は元の位置へ復元される構成であり、元の位置へ復元するとニードル６１を回転させて、結束紐（イ）の先端部は、結束機２の結束ホルダ６５で挾持されて紐通し、及び紐挾持が終了する構成としている。
【００２３】
前記集束装置５１は、結束ケース６６上側に設け、刈取穀稈を集束するパッカ６７、結束紐（イ）が挿通されて、集束された刈取穀稈へこの結束紐（イ）を巻き付けるニードル６１、及び該パッカ６７で集束された刈取穀稈を受けて、所定量になると該結束ケース６６内に設けた一回転クラッチ（図示せず）を作動させるクラッチ作動板６８等よりなる構成としている。
【００２４】
前記結束機２は、結束ケース６６上側に設け、プラットホーム６９には、結束ホルダ６５、及びノッタビル７０等を設け、この結束ホルダ６５は、紐ブレーキ装置１０、及び該ニードル６１を経て結束紐（イ）の端部を挾持する。ノッタビル７０は、該ニードル６１から結束紐（イ）を受けて結束する構成としている。
前記放出装置５２は、結束機２上側に穂先放出杆７１、及び外側に根元放出杆７２を設け、この根元放出杆７２は、結束した束の大きさにより、内側、又は外側へ回動調節できる構成としている。
【図面の簡単な説明】
【図１】  一部破断せる要部の拡大斜視図
【図２】  バインダーの全体側面斜視図
【図３】  変速レバー部の拡大平面図
【図４】  引起防音ゴムの拡大斜視図
【図５】  引起装置の拡大正面図
【図６】  引起装置の拡大平面図
【図７】  横搬送ベルト部の拡大平面図
【図８】  横搬送ベルトのローラ部の拡大背面斜視図
【図９】  刈取装置部の拡大側面図
【図１０】  刈取装置部の拡大正面斜視図
【図１１】  刈取装置部の一部の拡大正面斜視図
【図１２】  刈取装置部の拡大平面図
【図１３】  掻込装置部の拡大平面図
【図１４】  紐受具の拡大側面図
【図１５】  紐受具の拡大背面図
【図１６】  紐受具の作用前拡大側面斜視図
【図１７】  紐受具の作用拡大側面斜視図
【図１８】  結束機部の拡大平面図
【符号の説明】
５    掻込装置
６    引起装置
１０    紐ブレーキ装置
１４    ハンドル
１７    変速用溝
１８    チェンジパネル
１９    取付具
２０    変速レバー
３２    横搬送ベルト
３３    支持軸
３４    ローラ
３５    後穀稈移送通路
５３    収納パイプ
５４    スプリング
５５    紐受具
５６    ギヤー
６０    紐受ガイド金具
６１    ニードル
６３    紐ガイドパイプ
（イ）  結束紐
【図１】
0003944924.tif 000002
【図２】
0003944924.tif 000003
【図３】
0003944924.tif 000004
【図４】
0003944924.tif 000005
【図５】
0003944924.tif 000006
【図６】
0003944924.tif 000007
【図７】
0003944924.tif 000008
【図８】
0003944924.tif 000009
【図９】
0003944924.tif 000010
【図１０】
0003944924.tif 000011
【図１１】
0003944924.tif 000012
【図１２】
0003944924.tif 000013
【図１３】
0003944924.tif 000014
【図１４】
0003944924.tif 000015
【図１５】
0003944924.tif 000016
【図１６】
0003944924.tif 000017
【図１７】
0003944924.tif 000018
【図１８】
0003944924.tif 000019